(57)【特許請求の範囲】
【請求項１】
システムと；
ディスプレイモジュールと；
を備え，
前記システムは，
画面を形成するためのデータに対してタイミングフォーマットを決定し，前記データ及び、前記データに対応する画面駆動に用いられる制御信号を生成して出力する画像信号処理部と，
前記画像信号処理部から出力される前記データ及びそれに対する前記制御信号をスイング減殺型差動信号（ＲＳＤＳ）方式にてエンコーディングして出力するエンコーダと，
静電圧を出力する電源出力部と，
を実装し，
前記ディスプレイモジュールは，
前記静電圧から階調発生部及びゲート電圧発生部に印加する電圧を生成して出力する電源部と，前記電源部から印加される電圧によって階調電圧を発生して出力する前記階調発生部と，前記電源部から印加される電圧によってゲートオン／オフ電圧を生成して出力する前記ゲート電圧発生部とを実装し，前記エンコーダから転送される前記データ及びそれに対する前記制御信号を転送するための配線が形成されたコントロールボードと，
前記エンコーダから転送される前記データ及びそれに対する制御信号，並びに階調電圧が印加され，前記データ及びそれに対する前記制御信号をデコーディングし，デコーディングされた前記データ及びそれに対する前記制御信号と前記階調電圧からコラム信号を生成して出力するコラムドライブ手段を実装し，平板パネルの水平方向エッジと前記コントロールボードとを物理的及び電気的に接続する第１連結部材と，
前記制御信号及び前記ゲートオン／オフ電圧が印加され，前記制御信号をデコーディングし，デコーディングされた前記制御信号と前記ゲートオン／オフ電圧からスキャン信号を生成して出力するスキャンドライブ手段を実装し，前記平板パネルの垂直方向エッジと前記コントロールボードとを物理的及び電気的に接続する第２連結部材と，
前記スキャン信号及び前記コラム信号を印加されて所定画面を形成する前記平板パネルと，
を有することを特徴とする平板ディスプレイ装置。
【請求項２】
前記コラムドライブ手段は，
前記エンコーダから転送される前記データとそれに対する前記制御信号をデコーディングする第１デコーディング手段と；
前記第１デコーディング手段によってデコーディングされたデータを仮に格納する第１レジスタ手段と；
前記第１レジスタ手段に格納されたデータ，制御信号及び前記階調電圧から前記コラム信号を生成して出力する第１信号処理手段と；
から構成されることを特徴とする請求項１に記載の平板ディスプレイ装置。
【請求項３】
前記データと前記制御信号は，
前記エンコーダから同一のチャンネルを通じて混合されて前記コラムドライブ手段に転送され，
前記第１デコーディング手段によってデコーディングされ，
前記第１レジスタ手段によって第１レジスタと第２レジスタに区分されて格納された後，前記第１信号処理手段によって出力されることを特徴とする請求項２に記載の平板ディスプレイ装置。
【請求項４】
前記データと前記制御信号は，
前記エンコーダから別々のチャンネルを通じて分離されて前記コラムドライブ手段に転送され，
前記第１デコーディング手段の第１デコーダと第２デコーダでデコーディングされ，
前記第１レジスタ手段の第３レジスタと第４レジスタに区分されて格納された後，前記第１信号処理手段に出力されることを特徴とする請求項２に記載の平板ディスプレイ装置。
【請求項５】
前記スキャンドライブ手段は，
前記エンコーダから転送される前記制御信号をデコーディングする第２デコーディング手段と；
前記第２デコーディング手段によってデコーディングされた制御信号を仮に格納する第２レジスタ手段と；
前記第２レジスタ手段に格納された制御信号と，前記ゲートオン／オフ電圧とから前記スキャン信号を生成して出力する第２信号処理手段と；
から構成されることを特徴とする請求項１に記載の平板ディスプレイ装置。
【請求項６】
信号変換ボードと；
ディスプレイモジュールと；
を備え，
前記信号変換ボードは，
アナログフォーマットを有し画面を形成するためのデータ及びそれに対する制御信号をデジタルフォーマットに変換させるアナログ／デジタルコンバータと，
前記デジタルフォーマットに変更されたデータに対してタイミングフォーマットを決定し，前記デジタルフォーマットに変更されたデータ及び、前記デジタルフォーマットに変更されたデータに対応する画面駆動に用いられる制御信号を生成して出力する画像信号処理部と，
前記画像信号処理部から出力される前記データ及びそれに対する前記制御信号をスイング減殺型差動信号（ＲＳＤＳ）方式にてエンコーディングして出力するエンコーダと，
を実装し，
前記ディスプレイモジュールは，
所定静電圧から階調発生部及びゲート電圧発生部に印加する電圧を生成して出力する電源部と，前記電源部から印加される電圧によって階調電圧を発生して出力する前記階調発生部と，前記電源部から印加される電圧によってゲートオン／オフ電圧を生成して出力する前記ゲート電圧発生部とを実装し，前記エンコーダから転送される前記データ及びそれに対する前記制御信号を転送するための配線が形成されたコントロールボードと，
前記エンコーダから転送される前記データ及びそれに対する制御信号，並びに階調電圧が印加され，前記データ及びそれに対する前記制御信号をデコーディングし，デコーディングされた前記データ及びそれに対する前記制御信号と前記階調電圧からコラム信号を生成して出力するコラムドライブ手段を実装し，平板パネルの水平方向エッジと前記コントロールボードとを物理的及び電気的に接続する第１連結部材と，
前記制御信号及び前記ゲートオン／オフ電圧が印加され，前記制御信号をデコーディングし，デコーディングされた前記制御信号と前記ゲートオン／オフ電圧からスキャン信号を生成して出力するスキャンドライブ手段を実装し，前記平板パネルの垂直方向エッジと前記コントロールボードとを物理的及び電気的に接続する第２連結部材と，
前記スキャン信号及び前記コラム信号を印加されて所定画面を形成する前記平板パネルと，
を有することを特徴とする平板ディスプレイ装置。
【請求項７】
前記コラムドライブ手段は，
前記エンコーダから転送される前記データとそれに対する制御信号をデコーディングする第１デコーディング手段と；
前記第１デコーディング手段によってデコーディングされたデータを仮に格納する第１レジスタ手段と；
前記第１レジスタ手段に格納されたデータ，制御信号及び前記階調電圧から前記コラム信号を生成して出力する第１信号処理手段と；
から構成されることを特徴とする請求項６に記載の平板ディスプレイ装置。
【請求項８】
前記データと前記制御信号は，
前記エンコーダから同一のチャンネルを通じて混合されて前記コラムドライブ手段に転送され，
前記第１デコーディング手段によってデコーディングされ，
前記第１レジスタ手段によって第１レジスタと第２レジスタに区分されて格納された後，前記第１信号処理手段に出力されることを特徴とする請求項７に記載の平板ディスプレイ装置。
【請求項９】
前記データと前記制御信号は，
前記エンコーダから別々のチャンネルを通じて分離されて前記コラムドライブ手段に転送され，
前記第１デコーディング手段の第１デコーダと第２デコーダでデコーディングされ，
前記第１レジスタ手段の第３レジスタと第４レジスタに区分されて格納された後，前記第１信号処理手段に出力されることを特徴とする請求項７に記載の平板ディスプレイ装置。
【請求項１０】
前記スキャンドライブ手段は，
前記エンコーダから転送される前記制御信号をデコーディングする第２デコーディング手段と；
前記第２デコーディング手段によってデコーディングされた制御信号を仮に格納する第２レジスタ手段と；
前記第２レジスタ手段に格納された制御信号と，前記ゲートオン／オフ電圧とから前記スキャン信号を生成して出力する第２信号処理手段と；
から構成されることを特徴とする請求項６に記載の平板ディスプレイ装置。
【発明の詳細な説明】
【０００１】
【発明の属する技術分野】
本発明は，平板ディスプレイ装置に関し，より詳しくは，ディスプレイモジュールにスイング減殺型差動信号（Ｒｅｄｕｃｅｄ  Ｓｗｉｎｇ  Ｄｉｆｆｅｒｅｎｔｉａｌ  Ｓｉｇｎａｌｉｎｇ；以下，“ＲＳＤＳ”という）方式にて制御信号とデータを転送し，ディスプレイモジュールのコントロールボードに転送される前に，データのタイミングフォーマットとそれに対する制御信号生成を行い，ドライブ集積回路に印加できるように構成することで，ディスプレイモジュールを最適化しながら電磁波障害なしに高速でデータ転送ができるように改善させた平板ディスプレイ装置に関する。
【０００２】
【従来の技術】
最近，液晶技術またはプラズマディスプレイ技術を利用した平板ディスプレイ装置の開発が盛んで進んでおり，それにより，平板パネルを利用した液晶表示装置またはプラズマディスプレイ装置のような平板ディスプレイ装置がコンピュータまたはテレビ等の様な製品に適用されて市販されつつある。
【０００３】
特に，液晶の電気的および光学的特性を利用して画像を表現する液晶表示装置は，順次，高解像度を持ちながら大画面が実現できるように開発されている。この液晶表示装置は，画像がディスプレイされる平板パネルである液晶パネルと，ここに接続されるコントロールボードと，光学モジュールとがフレームに組立されたディスプレイモジュールが，ケース内に実装された構成を持つ。
【０００４】
【発明が解決しようとする課題】
通常，液晶表示装置は，ＸＧＡ級以上の大きさで実現される場合，電磁波障害問題，転送媒体を通したノイズ問題，及びデータ転送数の制約による高解像度実現に制約が伴う問題点がある。
【０００５】
液晶表示装置において，データまたはクロック信号をＴＴＬ方式にて転送する方法は多数の転送配線を必要とし，それによって構成されるケーブルやコネクタの数が多いほど，外部ノイズ源に露出される確率が大きくなる。
【０００６】
また，ＴＴＬ方式にてデータまたはクロック信号を転送する場合，転送線路が遠距離化されると，それに従う信号遅延現象による画質劣化が発生するという問題点がある。これは，液晶表示装置だけでなくプラズマディスプレイ装置でも同様に発生する問題点である。
【０００７】
上述した問題点を解決するために，平板ディスプレイ装置にデータを高速転送しながら電磁波障害に伴う問題点を解決し，配線数を軽減させるための技術が採用されており，ＬＶＤＳ（Ｌｏｗ  Ｖｏｌｔａｇｅ  ＤｉｆｆｅｒｅｎｔｉａｌＳｉｇｎａｌｉｎｇ；以下，“ＬＶＤＳ”という）方式またはＲＳＤＳ方式が代表例である。
【０００８】
しかし，上述したＬＶＤＳ方式またはＲＳＤＳ方式にて信号転送のための構成を持っても，これら信号がディスプレイモジュールに転送されてコントロールボード上でＴＴＬ方式にてデコーディングされ，ＴＴＬ方式の信号がＬＶＤＳ方式またはＲＳＤＳ方式にてエンコーディングされるための部品が必要になる。それによってコントロールボードの構成が複雑になり，回路の増加が要求されるという問題点があった。
【０００９】
本発明は上記問題点に鑑みてなされたものであり，その目的は，所定画像供給源から出力される原データと制御信号を，コントロールボードに転送される前にタイミングフォーマットし，駆動に必要な制御信号を生成してコラム／スキャンドライブ集積回路に直接転送することで，ディスプレイモジュールの最適化と回路の簡潔化を図ることである。
【００１０】
本発明の他の目的は，アナログ方式またはデジタル方式のフォーマットの画像信号に対応して，選別的に上述の目的を達成することにある。
【００１１】
【課題を解決するための手段】
上記課題を解決するため，本発明によれば，ディスプレイするための画面に対するデータとそれに対する制御信号を供給するシステムにおいて，データに対するタイミングフォーマットを決定し，それに対する制御信号を生成し，これをスイング減殺型差動信号方式にてエンコーディングして出力し，それによってデコーディングはスキャンドライブ集積回路またはコラムドライブ集積回路で行い，コントロールボードは各部に必要な電圧を生成して出力する電源部，階調電圧を発生して出力する階調発生部及びゲートオン／オフ電圧を生成して出力するゲート電圧発生部を実装するように構成される平板ディスプレイ装置が提供される。
【００１２】
かかる構成によれば，コントロールボードに実装される部品を低減しながら実装面積を最小化でき，回路構成を簡潔にできる。
【００１３】
また，アナログフォーマットに転送されるデータを利用してディスプレイモジュールに所定画面を出力するために，アナログ／デジタルコンバータを実装する信号変換ボード上に，デジタル変換されたデータに対するタイミングフォーマット調節と，それに対する制御信号を生成する画像信号処理部と，スイング減殺型差動信号方式にてエンコーディングを行うエンコーダを実装させた平板ディスプレイ装置が提供できる。かかる構成によれば，コントロールボードに実装される部品を低減しながら回路構成を簡潔にできる。
【００１４】
【発明の実施の形態】
以下に添付図面を参照しながら，本発明にかかる平板ディスプレイ装置の好適な実施の形態について詳細に説明する。なお，本明細書及び図面において，実質的に同一の機能構成を有する構成要素については，同一の符号を付することにより重複説明を省略する。
【００１５】
本発明にかかる平板ディスプレイ装置は，デジタルフォーマットまたはアナログフォーマットで転送される原画像信号とそれに対する制御信号を，コントロールボードに転送する前にタイミングフォーマット過程と駆動のための制御信号を生成する過程を経てタイミングフォーマットされたデータと駆動制御信号を，コントロールボードを経由して直接コラム／スキャンドライブ集積回路に転送するように構成される。
【００１６】
図１は，原画像信号とそれに対する制御信号がデジタルフォーマットの場合の平板ディスプレイ装置を示すブロック図であり，図３は，原画像信号とそれに対する制御信号がアナログフォーマットの場合の平板ディスプレイ装置を示すブロック図である。図１および図３は，液晶表示装置の構成を基本として例示した。
【００１７】
（第１の実施の形態）
まず，図１を参照して第１の実施形態にかかる平板ディスプレイ装置の構成を説明する。図１に示すように，ディスプレイモジュールは液晶パネル１０，それに物理的・電気的に接続された連結部材１２，１４及びコントロールボード２０で構成され，システム３０は電源出力部３２，画像信号処理部３４及びエンコーダ３６で構成される。
【００１８】
液晶パネル１０は，カラーフィルタ基板とＴＦＴ基板が接合され，その間に液晶が挟まれて，ＴＦＴ基板とカラーフィルタ基板との間に帯電される電圧によって液晶の物性が変化して光を選択的に透過させて画像を形成するものである。ＴＦＴ基板が延長された垂直方向エッジ（Ｅｄｇｅ）と水平方向エッジに，連結部材１２，１４が各々付着される。
【００１９】
連結部材１２および１４上には，スキャン信号を液晶パネル１０の各画素をなす薄膜トランジスタのゲートに印加するスキャンドライブ集積回路１６と，コラム信号を液晶パネル１０の各画素をなす薄膜トランジスタのソースに印加するコラムドライブ集積回路１８とが実装される。
【００２０】
連結部材１２はフレキシブル印刷基板で構成されることができ，液晶パネル１０とコントロールボード２０との間の物理的および電気的接続が異方性導電フィルムのような付着部材によってなされる。
【００２１】
連結部材１４は，コントロールボード２０で印加される電気的信号を実装されたコラムドライブ集積回路１８に印加するための配線と，その出力を液晶パネル１０に印加するための配線とが形成される。
【００２２】
連結部材１２も，液晶パネル１０のエッジを通じて印加される電気的信号を実装されたスキャンドライブ集積回路１６に印加するための配線と，その出力を液晶パネル１０に印加するための配線が形成される。
【００２３】
コントロールボード２０上には電源部２２，階調発生部２４及びゲート電圧発生部２６が実装され，これら部品において電源，階調電圧及びゲート電圧を印加するための配線，システム３０で供給される電源を電源部２２に印加するための配線，及びデータとそれに対する制御信号を連結部材１４に印加するための配線が形成される。
【００２４】
ここで電源部２２は，システム３０で供給される電源によって各部に必要な直流電圧を生成して出力するように構成される。階調発生部２４は，電源部２２で供給される電源によって階調表現のための多様なレベルの階調電圧を生成して，連結部材１４上のコラムドライブ集積回路１８に供給するように構成される。
【００２５】
ゲート電圧発生部２６は，電源部２２で供給される電源によってゲートオン／オフ電圧を生成して連結部材１２上のスキャンドライブ集積回路１６に供給するように構成される。このとき，ゲートオン／オフ電圧は，連結部材１４と液晶パネル１０のエッジに形成された配線を経由して連結部材１２上のスキャンドライブ集積回路１６に印加される。
【００２６】
一方，コンピュータのようなデジタルプロセスを持つシステム３０では，デジタルフォーマットのＴＴＬ方式の原画像信号とそれに従う制御信号が画像信号処理部３４で生成される。
【００２７】
ここで原画像信号は，各々６ビットまたは８ビットのＲＧＢカラー信号（総１８ビットまたは２４ビット）を含み，制御信号は水平同期信号，垂直同期信号，イネーブル信号などを含むことができる。
【００２８】
システム３０の画像信号処理部３４から出力されるＴＴＬ方式の原データとそれに対する制御信号は，エンコーダ３６に転送されてＲＳＤＳ方式に変換される。エンコーダ３６はＲＳＤＳ方式にて複数のチャンネルに変換された信号をケーブル（図示せず）を通じてコントロールボード２０に転送するように構成される。
【００２９】
電源出力部３２は，システム駆動のために供給される電源をディスプレイモジュールで必要な仕様に変換させた後，ケーブル（図示せず）によりコントロールボード２０上の電源部２２に供給するように構成される。
【００３０】
上述したように構成された第１の実施形態にかかる平板ディスプレイ装置において，画像信号処理部３４は，画像を出力するための原データと制御信号を生成した後，それに対するデータのタイミングフォーマットを調節し，駆動に必要な分周または派生の制御信号を生成して出力する。
【００３１】
それにより，タイミング調節された６ビットまたは８ビットのＲＧＢデータがＴＴＬ方式にてエンコーダ３６に入力され，複数の駆動制御信号がエンコーダ３６に入力される。
【００３２】
エンコーダ３６はデータと制御信号を混合して任意のチャンネルに転送でき，データと制御信号に対して他のチャンネルを各々割り当て転送できる。このように転送されるデータと制御信号はコントロールボード２０に転送され，コントロールボード２０に形成された配線によって各連結部材１４に印加される。
【００３３】
連結部材１４に印加されるデータと制御信号は，該当コラムドライブ集積回路１８に印加される。このとき，制御信号に含まれたスキャンドライブ集積回路１６に印加される制御信号は，連結部材１４，液晶パネル１０のエッジ及び連結部材１２を経て該当スキャンドライブ集積回路１６まで伝えられる。
【００３４】
コラムドライブ集積回路１８とスキャンドライブ集積回路１６は，内部にＲＳＤＳ方式の信号をＴＴＬ方式にデコーディングするための構成を持つべきであり，それにより，ＴＴＬ方式に変換されたデータとそれに対する制御信号はコラムドライブ集積回路１８とスキャンドライブ集積回路１６の動作によってコラム信号とスキャン信号に変換されて出力される。
【００３５】
図２は，コラムドライブ集積回路１８において，ＲＳＤＳ方式の信号をＴＴＬ方式にデコーディングするための詳細構成を示すブロック図である。図２に示すように，コラムドライブ集積回路１８は，データをデコーディングするためのデコーダ４０と，制御信号をデコーディングするためのデコーダ４２とが各々構成される。
【００３６】
デコーダ４０でデコーディングされたＴＴＬ方式のデータ“ａ”はレジスタ４４に仮に格納され，デコーダ４２でデコーディングされたＴＴＬ方式の制御信号“ｂ”はレジスタ４６に仮に格納される。
【００３７】
データと制御信号が他のチャンネルに各々割り当てられて転送される場合，デコーダ４０とレジスタ４４はデータを転送するチャンネルと連結し，デコーダ４２とレジスタ４６は，制御信号を転送するチャンネルと連結して，それに対するデコーディングとデータ格納を行うように構成することができる。
【００３８】
これとは異なり，データと制御信号がチャンネルに混合されて転送される場合，レジスタ４４および４６のイネーブルタイミングが調節されて，データと制御信号を区分してデコーディング及び格納を行うように構成することができる。
【００３９】
したがって，レジスタ４６でデータ出力を制御するための制御信号“ｃ”がレジスタ４４のデータイネーブルまたはディセーブル状態を制御する。シフトレジスタ４８，データラッチ５０，コンバータ５２及びバッファ５４には，該当する各制御信号“ｄ”，“ｅ“，”ｆ“，“ｇ”が各々出力される。
【００４０】
シフトレジスタ４８は，シフトされた出力をデータラッチ５０に順次出力し，それによってデータラッチ５０はレジスタ４４から出力されるデータを画素に対応する単位でラッチする。
【００４１】
データラッチ５０に仮に格納された各画素別データはコンバータ５２に印加され，コンバータ５２は階調発生部２４で入力される階調電圧のうち，画素別データに該当する階調電圧を選択してバッファ５４に出力し，バッファ５４は複数のコラム信号を同時に出力する。
【００４２】
一方，図２に示したコラムドライブ集積回路１８の構成例のように，スキャンドライブ集積回路１６もデコーダとレジスタを構成してＲＳＤＳ方式にて転送される制御信号をデコーディングして，シフトレジスタ（図示せず），レベルシフタ（図示せず）及びバッファ（図示せず）の出力を制御する。その結果，スキャンドライブ集積回路１６は，ＲＳＤＳ方式にて転送される制御信号とゲート電圧発生部２６で供給されるゲートオン／オフ電圧によって，スキャン信号を液晶パネル１０に出力する。
【００４３】
結局，データとそれに対する制御信号がシステムでエンコーディングされてＲＳＤＳ方式にて転送されるので，ＴＴＬレベルでデータが転送されるものに比べて，転送線路数は低減され，低電力駆動，高速データ転送及び電磁波障害防止が効果的になされる。
【００４４】
また，コントロールボード２０上において，データと制御信号に対するデコーディングなしにコラムドライブ集積回路１８とスキャンドライブ集積回路１６にＲＳＤＳ方式の信号が直接転送された後，コラムドライブ集積回路１８とスキャンドライブ集積回路１６において，デコーディング過程を通じてシステムでタイミングフォーマットされたデータと，それに対して予め生成された制御信号がコラム信号またはスキャン信号出力に適用される。
【００４５】
したがって，コントロールボード２０上には，データとそれに対する制御信号のエンコーディングとデコーディングのための部品，及びそれに伴う回路の設計と製作が不要になり，結局，コントロールボード２０の実装面積が最小化し，回路の構成が簡潔になる。
【００４６】
（第２の実施の形態）
上述した第１の実施形態は，コンピュータ本体のように，マイクロプロセッサが適用されてデジタルフォーマットの信号が出力されるシステムに適用して構成された例であった。これとは異なり，公衆波を受信してアナログフォーマットの信号として所定画像を実現するためのシステムを次に説明する。
【００４７】
図３は，第２の実施形態にかかる平板ディスプレイ装置の構成を示す図である。図３に示すように，本実施の形態にかかる平板ディスプレイ装置においては，アナログ／デジタルコンバータが構成され，第１の実施形態にかかる平板ディスプレイ装置のシステムと異なる構成を持つ。
【００４８】
ここで，液晶パネル１０，スキャンドライブ集積回路１６またはコラムドライブ集積回路１８を各々実装した連結部材１２および１４，及び部品を実装したコントロールボード２０の構成は第１の実施形態と同様であり，コントロールボード２０上に実装される階調発生部２４，ゲート電圧発生部２６及び電源部２２の構成も第１の実施形態と同様なので，重複する構成及び作用に対する説明は省略する。
【００４９】
アナログフォーマットで転送される原画像信号とそれに対する制御信号は，アナログ／デジタルコンバータ（Ａｎａｌｏｇ／Ｄｉｇｉｔａｌ  ｃｏｎｖｅｔｅｒ，以下，“Ａ／Ｄコンバータ”という）６２に入力されて，ＴＴＬ方式の信号に変換される。
【００５０】
Ａ／Ｄコンバータ６２はコントロールボード２０と区分される信号変換ボード６０に実装され，このとき，信号変換ボード６０は樹脂材質の印刷回路基板またはフレキシブル印刷基板などで構成されることができる。信号変換ボード６０とコントロールボード２０との間のインターフェースは，転送されるデータ形式に適しているケーブルを利用してなされる。
【００５１】
Ａ／Ｄコンバータ６２は，入力されるアナログ信号をデジタルフォーマット，即ちＴＴＬ方式信号に変換して画像信号処理部６４に出力するように構成される。画像信号処理部６４は，データのタイミングフォーマットを調節して原制御信号として画面駆動に必要な制御信号を同期式で生成して出力する機能を持ちながら，その出力即ちデータとそれに対する制御信号を，エンコーダ６６に出力するように構成される。
【００５２】
エンコーダ６６は，入力されるデータとそれに対する制御信号をＲＳＤＳ方式にエンコーディングし，コントロールボード２０を経由して第１の実施形態のように連結部材１２，１４上のコラムドライブ集積回路１８及びスキャンドライブ集積回路１６に転送するように構成される。
【００５３】
ここで，エンコーダ６６は，データと制御信号を混合して任意のチャンネルに転送でき，データと制御信号に対して他のチャンネルを各々割り当て転送できる。それにより，第１の実施形態のように，コラムドライブ集積回路１８とスキャンドライブ集積回路１６が構成されたことによって動作するので，スキャン信号とコラム信号を液晶パネル１０に提供することができる。
【００５４】
第２の実施形態も第１の実施形態のように，ＲＳＤＳ方式にて転送されるため転送線路数が軽減され，低電力駆動，高速データ転送及び電磁波障害防止が効果的になされる。
【００５５】
また，コントロールボード２０上にデータ，それに対する制御信号のエンコーディングとデコーディングのための部品及びそれに伴う回路の設計と製作が不要になり，コントロールボード２０の実装面積を最小化しながらディスプレイモジュールが最適化されて，回路の構成が簡潔になる。
【００５６】
以上，添付図面を参照しながら本発明にかかる平板ディスプレイ装置の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５７】
【発明の効果】
以上説明したように，本発明によれば，コントロールボードにタイミングフォーマットされたデータとそれに対する制御信号を生成してＲＳＤＳ方式にて転送し，これら信号がコントロールボードを経由して直接コラムドライブ集積回路及びスキャンドライブ集積回路に転送されるように構成することができるので，ディスプレイモジュールの最適化が可能であり，回路構成の簡潔化を図ることができ，低電力消耗，高速データ転送及び電磁波障害遮断のような付加的な効果が得られる。
【図面の簡単な説明】
【図１】本発明の第１の実施形態にかかる平板ディスプレイ装置の好適な構成を示す図である。
【図２】第１の実施形態にかかるコラムドライブ集積回路の一例を示すブロック図である。
【図３】本発明の第２の実施形態にかかる平板ディスプレイ装置の好適な構成を示す図である。
【符号の説明】
１０  液晶パネル
１２，１４  連結部材
１６  スキャンドライブ集積回路
１８  コラムドライブ集積回路
２０  コントロールボード
２２  電源部
２４  階調発生部
２６  ゲート電圧発生部
３０  システム
３２  電源出力部
３４  画像信号処理部
３６  エンコーダ
４０，４２  デコーダ
４４，４６  レジスタ
４８  シフトレジスタ
５０  データラッチ
５２  コンバータ
５４  バッファ
【図１】
0005069389.tif 000002
【図２】
0005069389.tif 000003
【図３】
0005069389.tif 000004